(57)【要約】      （修正有）【課題】より安全に、かつ容易にすくみ足を解消し得る歩行介助具の提供。【解決手段】光を歩行前方面に投射表示する発光手段を備えている。【効果】歩行前方面に光が投射表示されるので、それを目標に容易に最初の一歩を踏み出すことができ、すくみ足を解消することができる。しかも、当該目標は光による表示のため、何ら物理的障害とはならない結果、つまずき等による転倒負傷の恐れはなく、極めて安定性に優れる。【選択図】図１
2005312736.tif 000002
【特許請求の範囲】
【請求項１】
光を歩行前方面に投射表示する発光手段を備えていることを特徴とする歩行介助具。
【請求項２】
発光手段が、スイッチ部と電源部と発光部とから成ることを特徴とする請求項１記載の歩行介助具。
【請求項３】
杖状本体の上部にスイッチ部、その下方に電源部、更にその下方に発光部が取り付けられていることを特徴とする請求項２記載の歩行介助具。
【請求項４】
杖状本体の下端部に、接地時に発光部の発光を可能な状態とする一方、非接地時に発光部の発光を不可能な状態とする接地型スタンバイスイッチが更に取り付けられていることを特徴とする請求項２又は３記載の歩行介助具。
【請求項５】
発光手段が、歩行前方面に１本線、複数線、十字状線、矢印又は文字を投射表示するものであることを特徴とする請求項１〜４の何れか１項記載の歩行介助具。
【請求項６】
発光手段が、光を振らすミラーを備えていることを特徴とする請求項１〜５の何れか１項記載の歩行介助具。
【請求項７】
発光手段がレーザー光発光手段であることを特徴とする請求項１〜６の何れか１項記載の歩行介助具。
【請求項８】
レーザー光発光手段がグリーンレーザー光を発光するものであることを特徴とする請求項１〜７の何れか１項記載の歩行介助具。
【発明の詳細な説明】
【技術分野】
【０００１】
本発明は歩行介助具、特にすくみ足用歩行介助具に関する。
【背景技術】
【０００２】
歩行障害としては種々の原因があるが、例えばパーキンソン病患者は、最初の一歩を容易に踏み出すことができない、いわゆるすくみ足により歩行が困難となっている。
【０００３】
斯かるすくみ足を改善するための補助具としては、最初の一歩を踏み出す目標となるハードルバーを歩行者の前方に繰り出すことができるステッキが既に市販されている。
【０００４】
しかしながら、このハードルバー方式は、当該ハードルバーを踏み越えて歩行するものであったため、このハードルバー自体につまずき易く、往々にして転倒負傷してしまうと云う危険があった。
【発明の開示】
【発明が解決しようとする課題】
【０００５】
本発明は上記の如き従来の問題に鑑みてなされたものであり、より安全にかつ容易にすくみ足を解消し得る歩行介助具を提供することを課題とする。
【課題を解決するための手段】
【０００６】
本発明は、光を歩行前方面に投射表示する発光手段を備えせしめた歩行介助具によって上記課題を解決したものである。
【発明の効果】
【０００７】
本発明によれば、歩行前方面に光が投射表示されるので、それを目標に容易に最初の一歩を踏み出すことができ、すくみ足を解消することができる。しかも、当該目標は光による表示のため、何ら物理的障害とはならない結果、つまずき等による転倒負傷の恐れはなく、極めて安定性に優れる。
【発明を実施するための最良の形態】
【０００８】
本発明において、発光手段は、光を歩行前方面に投射表示し得るものであれば、具体的構成の如何を問わないが、光を発光・停止せしめるスイッチ部と、光を発光せしめるための電源部と、光を発する発光部とから成るものが簡便で実用性に優れる。
【０００９】
また、歩行介助具の具体的形態も特に限定されないが、杖状とするのが、取り扱い性に優れ望ましい。
【００１０】
而して、上記のスイッチ部を杖状本体の上部、特に握持部に取り付け、その下方、特に杖状本体の中位部に電源部を取り付け、更にその下方、特に杖状本体の下端から２５〜３５cm程度の上位部に発光部を取り付けるのが好ましい。
【００１１】
本発明においては、杖状本体の下端部に、杖状本体の接地時に発光部の発光を可能な状態とする一方、非接地時に発光部の発光を不可能な状態とする接地型スタンバイスイッチを更に取り付けるのが、杖状本体の接地時にのみ光を発することができ、安全性並びに節電性の点で有利である。
【００１２】
本発明において、光の投射により歩行前方面に表示される形状は、１本線、複数線、十字状線、矢印、文字等の如何を問わないが、曲がり角には十字状線や矢印がより効果的である。
【００１３】
上記の如き形状を投射表示する具体的手段はその如何を問わないが、発光部に光を振らすミラーを備えたものが歩行前方面に光を線状により明るく投射表示し得るので、歩行者の認識し易さの点でも望ましい。
【００１４】
本発明において、発光手段としては有色光を発光し得るものが好ましく、例えばレーザー光発光手段や高輝度ＬＥＤが望ましいものとして挙げられ、その場合光の色は、有色であれば特に限定されないが、日中でも明瞭に認識し得るグリーン光が好ましい。
【実施例】
【００１５】
以下一実施例を示す図面と共に本発明を更に説明する。
【００１６】
１０は杖状本体で、上部の握持部１１の左右両側に押しボタン型スイッチ部２０が取り付けられており、このスイッチ部２０の操作により、レーザー光Ｐの発光・停止を制御するようになっている。
【００１７】
３０は電源部で、杖状本体１０の中位部に取り付けられており、適宜電源スイッチ（図示省略）を備えている。尚、電源としては乾電池、充電池等その種類の如何を問わない。
【００１８】
４０は発光部で、杖状本体１０の下端から３０cm程度上位部に、固定金具４１及び発光角度調節可能なアーム４２を介して取り付けられており、レーザー光Ｐを歩行前方面に適宜角度で投射表示し得るようになっている。
【００１９】
５０は四脚部で、杖状本体１０の下端に取り付けられていると共に、この四脚部５０の各脚部にはそれぞれ接地型スタンバイスイッチ６０が取り付けられ、少なくとも１つのスタンバイスイッチ６０が接地すれば、発光部４０の発光を可能な状態とする一方、接地が解除された時（非接地時）には発光部４０の発光を不可能な状態とするようになっている。
【００２０】
次に、斯かる実施例に係る本発明歩行介助具の使用例を説明する。
まず、電源部３０の電源スイッチを入れ（ＯＮ）、杖状本体１０の四脚部５０を床等の歩行面に接地すると、スタンバイスイッチ６０が入り（ＯＮ）、発光部４０の発光が可能な状態となる。次いで、杖状本体１０の握持部１１のボタン型スイッチ部２０を押せば（ＯＮ）、発光部４０が作動してレーザー光Ｐが発光し、予め設定された形状でレーザー光Ｐが歩行前方面に投射表示される。そこで、歩行障害者はその投射表示されたレーザー光Ｐを目標にすることにより、容易に最初の一歩を踏み出すことができるので、すくみ足が解消され、しかも安全に歩行することが可能となる。また、次の一歩のために杖状本体１０を持ち上げるとスタンバイスイッチ６０が切れ（ＯＦＦ）、レーザー光Ｐの発光が停止する。尚、ボタン型スイッチ２０を放しても（ＯＦＦ）、同様にレーザー光Ｐの発光が停止する。
【図面の簡単な説明】
【００２１】
【図１】本発明歩行介助具の正面説明図。
【図２】本発明歩行介助具の右側面説明図。
【符号の説明】
【００２２】
１０：杖状本体
１１：握持部
２０：スイッチ部
３０：電源部
４０：発光部
４１：固定金具
４２：アーム
５０：四脚部
６０：スタンバイスイッチ
Ｐ：レーザー光
【図１】
2005312736.tif 000003
【図２】
2005312736.tif 000004